(57)【要約】      （修正有）【課題】小型で脱落しにくいスライド開口部を有する携帯電話ホルダーを提供する。【解決手段】携帯電話ホルダーは、第１結合部１１、第２結合部１２、及び引きバネを有する。第１結合部は、第１収納部及び第１操作端を有し、外部の異なる面に第１挟持部１１４及び第１押圧部１１５を有する。第２結合部は、第２収納部及び第２操作端を有し、外部の異なる面に第２挟持部１２４及び第２押圧部１２５を有し、第２押圧部と同じ面に第２収納部と接続するスライド開口部を有する。第１押圧部を第２収納部に入れてスライド開口部を経由して出すことで、第１第２挟持部間に挟持空間を形成し、第１第２押圧部間に押圧空間を形成する。引きバネの両端を第１第２収納部に固定し、第１第２押圧部を同時に押圧し、第１押圧部をスライド開口部に摺動させると、押圧空間が小さくなり、挟持空間が大きくなる。第１第２押圧部を同時に放すと、引きバネの引っ張り力により、押圧空間が大きくなり挟持空間が小さくなる。【選択図】図６Ｂ
0003228444.tif 000002
【実用新案登録請求の範囲】
【請求項１】
携帯電話を挟持するためのスライド開口部を有する携帯電話ホルダーであって、
第１結合部と、第２結合部と、引きバネとを有し、
前記第１結合部は、両端をそれぞれ第１作動端及び第１操作端とし、その内部に第１収納部が設けられ、その外部の異なる面にそれぞれ前記第１作動端に設けられる第１挟持部、及び前記第１操作端に設けられる第１押圧部を有し、
前記第１収納部は、前記第１操作端に第１操作端開口部を有し、
前記第２結合部は、両端をそれぞれ第２作動端及び第２操作端とし、その内部に第２収納部が設けられ、その外部の異なる面にそれぞれ前記第２作動端に設けられる第２挟持部、及び前記第２操作端に設けられる第２押圧部を有し、且つ前記スライド開口部が開設され、
前記第２収納部は、前記第２操作端に第２操作端開口部を有し、
前記スライド開口部は、前記第２押圧部と同じ面に位置し、前記第２収納部と接続され、
前記第１操作端の前記第１押圧部を前記第２操作端開口部から前記第２収納部に入れて前記スライド開口部を経由して出し、前記第１挟持部と前記第２挟持部を互いに対向する方向に向かわせて、且つ前記第１押圧部と前記第２押圧部を互いに対向する方向に向かわせることで、前記第１挟持部と前記第２挟持部の間に挟持空間を形成し、且つ前記第１押圧部と前記第２押圧部の間に押圧空間を形成し、
前記引きバネの両端をそれぞれ前記第１収納部及び前記第２収納部に固定し、前記挟持空間が最小となると、前記押圧空間が最大となり、
前記第１押圧部及び前記第２押圧部を同時に押圧すると、前記第１結合部の前記第１操作端及び前記第１押圧部をそれぞれ前記第２収納部及び前記スライド開口部に摺動させることで、前記押圧空間が小さくなり、前記挟持空間が大きくなり、
携帯電話を前記挟持空間に置いてから、前記第１押圧部及び前記第２押圧部を同時に放すと、前記引きバネの引っ張り力の作用によって、前記押圧空間が大きくなり、それに対応して前記挟持空間は前記第１挟持部及び前記第２挟持部によって前記携帯電話を挟持するように距離が小さくなることを特徴とする、
スライド開口部を有する携帯電話ホルダー。
【請求項２】
前記第１押圧部の外側に第１ファスナーが設けられることを特徴とする、
請求項１に記載の携帯電話ホルダー。
【請求項３】
前記第２挟持部の外側に第２ファスナーが設けられることを特徴とする、
請求項１に記載の携帯電話ホルダー。
【請求項４】
前記第１結合部の外部に少なくとも縦方向安定用凹溝が設けられ、
前記第２収納部の内部における前記縦方向安定用凹溝に対応する位置に少なくとも縦方向安定用凸部が設けられ、
前記第１操作端を前記第２操作端開口部から前記第２収納部に入れ、前記縦方向安定用凹溝と前記縦方向安定用凸部を嵌合することで、前記縦方向安定用凸部が縦方向に前記縦方向安定用凹溝に摺動できることを特徴とする、
請求項１に記載の携帯電話ホルダー。
【請求項５】
前記第２収納部の内部における前記第２作動端に接近する位置に背面Ｕ型部が設けられ、
前記背面Ｕ型部は、縦方向に前記引きバネの周囲に外嵌されることを特徴とする、
請求項１に記載の携帯電話ホルダー。
【請求項６】
前記第１結合部の前記第１押圧部が位置する平面において、前記第１操作端に接近する箇所に凸平面が設けられることを特徴とする、
請求項１に記載の携帯電話ホルダー。
【考案の詳細な説明】
【技術分野】
【０００１】
本考案は、携帯電話ホルダー、特にスライド開口部を有する携帯電話ホルダーに関する。
【背景技術】
【０００２】
従来の携帯電話ホルダーは、両端にそれぞれ左挟持部及び左押圧部を有する左部と、両端にそれぞれ右挟持部及び右押圧部を有する右部とを有する。左部と右部の間の適切な位置に、それぞれ左接続部及び右接続部が設けられる。左接続部及び右接続部は、互いに対応して接続され、１つのネジ固定部によって結合される。
【０００３】
また、ネジ固定部に１つの弾性部が設けられる。ネジ固定部を軸とし、左押圧部と右押圧部との距離を弾性部によって拡大すると、左挟持部と右挟持部とを互いに接近させ、左押圧部と右押圧部を同時に押圧して両方の距離を縮むと、左挟持部と右挟持部とを互いに分離させる。携帯電話を左挟持部と右挟持部の間に置いた後、左挟持部及び右挟持部を同時に放して、弾性部の作用によって、左挟持部及び右挟持部が互いに接近して携帯電話を挟持する。
【０００４】
このような携帯電話ホルダーの欠点としては、体積が大きく、持ち歩き難いことにある。また、ネジ固定部を繰り返し使用した場合、脱落となる可能性があるため、携帯電話ホルダー自体が壊れる可能性がある。
【０００５】
もう１つの従来の携帯電話ホルダーは、２つのＬ部品である上Ｌ部及び下Ｌ部を有する。それらの横方向部分にそれぞれ上挟持部及び下挟持部を有し、縦方向部分にそれぞれ上結合部及び下結合部を有する。上結合部と下結合部を結合することで、Ｃ型携帯電話ホルダーを構成できる。上結合部と下結合部の間に圧縮バネを有する。使用する場合に、携帯電話の一側を下挟持部に置く、上挟持部を引っ張って、携帯電話のもう一側を置いた後、上挟持部を放して、上挟持部及び下挟持部が互いに接近して携帯電話を挟持する。
【０００６】
このような携帯電話ホルダーの欠点としては、操作する場合に両手を使って上挟持部及び下挟持部を操作しなければならない。使用上には便利ではなく、携帯電話が落ちて損傷となる可能性がある。
【考案の概要】
【考案が解決しようとする課題】
【０００７】
従来の携帯電話ホルダーの体積が大きく、持ち歩き難く、使用が不便で、電話が落ちる可能性がある等の問題を解決するために、本考案は、スライド開口部を有する携帯電話ホルダーを提供する。
【０００８】
前記携帯電話ホルダーは、第１結合部及び第２結合部を有する。第１結合部の両端にそれぞれ第１挟持部及び第１押圧部を有する。第２結合部の両端にそれぞれ第２挟持部及び第２押圧部を有する。第１結合部及び第２結合部は、互いに結合され、それぞれ引きバネの両端に接続される。第１押圧部及び第２押圧部を同時に押圧して分離させ、挟持空間が大きくなる。携帯電話を挟持空間に置く、第１押圧部及び第２押圧部を同時に放し、引きバネの引っ張り力によって、第１挟持部と第２挟持部を互いに接近させることで、挟持空間が小さくなる。よって、携帯電話と携帯電話ホルダーを互いに固定する。
【０００９】
本考案によれば、体積を小さくして、使用者の操作が便利で、携帯電話が落ちるリスクがないことを達成できる。本考案は、携帯電話の他に、タブレット等の薄いものを挟持するために用いられる。
【課題を解決するための手段】
【００１０】
以下、本考案の技術的な特徴を説明する。本考案は携帯電話を挟持するためのスライド開口部を有する携帯電話ホルダーであって、第１結合部と、第２結合部と、引きバネとを有し、前記第１結合部は、両端をそれぞれ第１作動端及び第１操作端とし、その内部に第１収納部が設けられ、その外部の異なる面にそれぞれ前記第１作動端に設けられる第１挟持部、及び前記第１操作端に設けられる第１押圧部を有し、前記第１収納部は、前記第１操作端に第１操作端開口部を有し、前記第２結合部は、両端をそれぞれ第２作動端及び第２操作端とし、その内部に第２収納部が設けられ、その外部の異なる面にそれぞれ前記第２作動端に設けられる第２挟持部、及び前記第２操作端に設けられる第２押圧部を有し、且つスライド開口部が開設され、前記第２収納部は、前記第２操作端に第２操作端開口部を有し、前記スライド開口部は、前記第２押圧部と同じ面に位置し、前記第２収納部と接続され、前記第１操作端の前記第１押圧部を前記第２操作端開口部から前記第２収納部に入れて前記スライド開口部を経由して出し、前記第１挟持部と前記第２挟持部を互いに対向する方向に向かわせて、且つ前記第１押圧部と前記第２押圧部を互いに対向する方向に向かわせることで、前記第１挟持部と前記第２挟持部の間に挟持空間を形成し、且つ前記第１押圧部と前記第２押圧部の間に押圧空間を形成し、前記引きバネの両端をそれぞれ前記第１収納部及び前記第２収納部に固定し、前記挟持空間が最小となると、前記押圧空間が最大となり、前記第１押圧部及び前記第２押圧部を同時に押圧すると、前記第１結合部の前記第１操作端及び前記第１押圧部をそれぞれ第２収納部及び前記スライド開口部に摺動させることで、前記押圧空間が小さくなり、前記挟持空間が大きくなり、携帯電話を挟持空間に置いてから、前記第１押圧部及び前記第２押圧部を同時に放すと、前記引きバネの引っ張り力の作用によって、前記押圧空間が大きくなり、それに対応して前記挟持空間は前記第１挟持部及び前記第２挟持部によって前記携帯電話を挟持するように距離が小さくなる。
【００１１】
好ましくは、前記第１押圧部の外側に第１ファスナーが設けられる。
【００１２】
好ましくは、前記第２挟持部の外側に第２ファスナーが設けられる。
【００１３】
好ましくは、前記第１結合部の外部に少なくとも縦方向安定用凹溝が設けられ、前記第２収納部の内部における前記縦方向安定用凹溝に対応する位置に少なくとも縦方向安定用凸部が設けられ、前記第１操作端を前記第２操作端開口部から前記第２収納部に入れ、前記縦方向安定用凹溝と前記縦方向安定用凸部を嵌合することで、前記縦方向安定用凸部が縦方向に前記縦方向安定用凹溝に摺動できる。
【００１４】
好ましくは、前記第２収納部の内部における前記第２作動端に接近する位置に背面Ｕ型部が設けられ、前記背面Ｕ型部は、縦方向に前記引きバネの周囲に外嵌される。
【００１５】
好ましくは、前記第１結合部の前記第１押圧部が位置する平面において、前記第１操作端に接近する箇所に凸平面が設けられる。
【考案の効果】
【００１６】
本考案の効果としては、本考案の携帯電話ホルダーが押圧部を有し、体積が小さく、携帯電話を携帯電話ホルダーに装着する時に落ちるリスクが低い。そのため、持ち歩き易く、操作が便利である目的を達成できる。本考案は、タブレット又は薄い長方形の設備又は品物を固定するために用いられる。
【００１７】
以下、図面及び実施例を開示しながら本考案を詳しく説明する。
【図面の簡単な説明】
【００１８】
【図１Ａ】本考案の実施例１における第１結合部及び引きバネを示す模式図１である。
【図１Ｂ】本考案の実施例１における第２結合部を示す模式図１である。
【図２Ａ】本考案の実施例１における第１結合部及び引きバネを示す模式図２である。
【図２Ｂ】本考案の実施例１における第２結合部を示す模式図２である。
【図３Ａ】本考案の実施例１における携帯電話ホルダーを組み付ける前の状態を示す模式図である。
【図３Ｂ】本考案の実施例１における携帯電話ホルダーを組み付ける第１ステップの状態を示す模式図である。
【図３Ｃ】本考案の実施例１における携帯電話ホルダーを組み付ける第２ステップの状態を示す模式図である。
【図３Ｄ】本考案の実施例１における携帯電話ホルダーを組み付けた後の状態を示す模式図である。
【図４Ａ】本考案の実施例１における携帯電話ホルダーの押圧部を押圧する前の状態を示す模式図１である。
【図４Ｂ】本考案の実施例１における携帯電話ホルダーの押圧部を押圧する前の状態を示す模式図２である。
【図５Ａ】本考案の実施例１における携帯電話ホルダーを正面視で示す模式図である。
【図５Ｂ】本考案の実施例１における携帯電話ホルダーのＡＡ線に沿う断面を示す模式図である。
【図６Ａ】本考案の実施例１における携帯電話ホルダーの押圧部を押圧する後の状態を示す模式図１である。
【図６Ｂ】本考案の実施例１における携帯電話ホルダーの押圧部を押圧する後の状態を示す模式図２である。
【図６Ｃ】本考案の実施例１における携帯電話ホルダーに携帯電話を置く状態を示す模式図１である。
【図６Ｄ】本考案の実施例１における携帯電話ホルダーに携帯電話を置いた状態を示す模式図２である。
【図７Ａ】本考案の実施例１における第２結合部の側面を示す模式図である。
【図７Ｂ】本考案の実施例１における第２結合部のＢＢ線に沿う断面を示す模式図である。
【図８Ａ】本考案の実施例２における携帯電話ホルダーを示す分解模式図である。
【図８Ｂ】本考案の実施例２における携帯電話ホルダーを組み付ける途中の状態を示す模式図である。
【図９Ａ】本考案の実施例３における携帯電話ホルダーを示す分解模式図である。
【図９Ｂ】本考案の実施例３における携帯電話ホルダーを組み付ける途中の状態を示す模式図である。
【図１０】本考案の実施例４における携帯電話ホルダーを示す模式図である。
【考案を実施するための形態】
【００１９】
以下、図１Ａ〜図１０を開示しながら本考案を実施するための形態を説明する。本考案は、それらの実施例に限定されない。
【００２０】
図１Ａ〜図６Ｄは、本考案の実施例１であるスライド開口部を有する携帯電話ホルダーを示す。前記携帯電話ホルダーは、第１結合部１１と、第２結合部１２と、引きバネ２とを有する。図１Ａ及び図２Ａに示すように、前記第１結合部１１は、両端をそれぞれ第１作動端１１２及び第１操作端１１３をとし、その内部に第１収納部１１１を設けられ、その外部の異なる面にそれぞれ前記第１作動端１１２の適切な箇所に設けられる第１挟持部１１４、及び前記第１操作端１１３の適切な箇所に設けられる第１押圧部１１５を有する。前記第１収納部１１１は、前記第１操作端１１３に第１操作端開口部１１３１を有する。
【００２１】
図１Ｂ及び図２Ｂに示すように、前記第２結合部１２は、両端をそれぞれ第２作動端１２２及び第２操作端１２３をとし、その内部に第２収納部１２１を設けられ、その外部の異なる面にそれぞれ前記第２作動端１２２の適切な箇所に設けられる第２挟持部１２４、及び前記第２操作端１２３の適切な箇所に設けられる第２押圧部１２５を有し、且つスライド開口部１２６が開設される。前記第２収納部１２１は、前記第２操作端１２３に第２操作端開口部１２３１を有し、前記スライド開口部１２６は、前記第２押圧部１２５と同じ面に位置し、前記第２収納部１２１と接続される。
【００２２】
前記第１操作端１１３の前記第１押圧部１１５を前記第２操作端開口部１２３１から前記第２収納部１２１に入れて前記スライド開口部１２６を経由して出し、前記第１挟持部１１４と前記第２挟持部１２４を互いに対向する方向に向かわせて、且つ前記第１押圧部１１５と前記第２押圧部１２５を互いに対向する方向に向かわせることで、図４Ａ及び図４Ｂに示すように、前記第１挟持部１１４と前記第２挟持部１２４の間に挟持空間３を形成し、且つ前記第１押圧部１１５と前記第２押圧部１２５の間に押圧空間４を形成する。
【００２３】
図５Ａ及び図５Ｂに示すように、前記引きバネ２の両端をそれぞれ前記第１収納部１１１及び前記第２収納部１２１の適切な箇所に固定し、前記挟持空間３が最小となると、前記押圧空間４が最大となる。図６Ａ及び図６Ｂに示すように、前記第１押圧部１１５及び前記第２押圧部１２５を同時に押圧すると、前記第１結合部１１の前記第１操作端１１３及び前記第１押圧部１１５をそれぞれ第２収納部１２１及び前記スライド開口部１２６に摺動させることで、前記押圧空間４が小さくなり、前記挟持空間３が大きくなる。
【００２４】
図６Ｃに示すように、携帯電話５を挟持空間３に置いてから、図６Ｄに示すように、前記第１押圧部１１５及び前記第２押圧部１２５を同時に放すと、前記引きバネ２の引っ張り力の作用によって、前記押圧空間４が大きくなり、それに対応して前記挟持空間３は前記第１挟持部１１４及び前記第２挟持部１２４によって前記携帯電話５を挟持するように距離が小さくなる。本考案の前記引きバネ２は、他の弾性張力を有する部品を利用してもよい。
【００２５】
図３Ａ〜図３Ｄに示すように、前記第１押圧部１１５の外側の適切な箇所に第１ファスナー１１５１が設けられる。前記第１ファスナー１１５１は、ブラケットに接続されるか、又は他の物に固定するために用いられる。本実施例の前記第１ファスナー１１５１は、例えばネジ又はナット等であってもよい。
【００２６】
図３Ａ〜図３Ｄに示すように、前記第２挟持部１２４の外側の適切な箇所に第２ファスナー１２４１が設けられる。前記第２ファスナー１２４１は、前記ブラケットに接続されるか、又は他の物に固定するために用いられる。本実施例の前記の前記第２ファスナー１２４１は、例えばネジ又はナット等であってもよい。
【００２７】
図７Ａ〜図７Ｂは、本考案の実施例１における第２結合部１２のＢＢ線に沿う断面を示す模式図である。前記第１結合部１１及び前記第２結合部１２の横断面が台形であるため、第１結合部１１と第２結合部１２を互いに摺動する時の安定性を向上できる。本実施例の前記横断面は、他の形状であってもよい。例えば、本実施例の前記第１結合部１１及び前記第２結合部１２の横断面は、長方形、カプセル形、半円形、両側凹形等の形状であってもよい。
【００２８】
図３Ａに示すように、前記第１結合部１１の外部の適切な箇所に少なくとも縦方向安定用凹溝１１６が設けられ、前記第２収納部１２１の内部における前記縦方向安定用凹溝１１６に対応する位置に少なくとも縦方向安定用凸部１２７が設けられる。図３Ｂ及び図３Ｃに示すように、前記第１操作端１１３を前記第２操作端開口部１２３１から前記第２収納部１２１に入れ、前記縦方向安定用凹溝１１６と前記縦方向安定用凸部１２７を嵌合することで、前記縦方向安定用凸部１２７が縦方向に前記縦方向安定用凹溝１１６に摺動できる。本実施例によれば、前記第１結合部１１と前記第２結合部１２を互いに摺動する時の安定性を向上できる。
【００２９】
図３Ａに示すように、前記第２収納部１２１の内部における前記第２作動端１２２に接近する位置に背面Ｕ型部１２１２を設けられ、前記背面Ｕ型部１２１２は、縦方向に前記引きバネ２の周囲に外嵌される。前記第１結合部１１と前記第２結合部１２を組み付けた後、図３Ｂ及び図３Ｃに示すように、押圧空間４が小さくなった場合、前記背面Ｕ型部１２１２によって、引きバネ２の露出を避けることができる。
【００３０】
図１Ａに示すように、本実施例において、前記第１結合部１１の前記第１挟持部１１４が位置する平面において、前記第１操作端開口部１１３１から第１作動端１１２に向かう方向に前記背面Ｕ型部１２１２に対応するノッチ１１３２を設けられる。前記ノッチ１１３２によって、前記第１収納部１１１が閉じた場合の長さを減少し、生産効率を上げることができる。
【００３１】
本考案の前記背面Ｕ型部１２１２は、他の形によって実現できる。例えば、図８Ａに示すように、前記第２収納部１２１において、前記第２作動端１２２に接近する位置に背面板１２１１を設けられる。前記第１結合部１１と前記第２結合部１２組み付けた後、図８Ｂに示すように、押圧空間４が小さくなった場合、前記背面板１２１１によって、引きバネ２の露出を避けることができる。引きバネ２が露出すると、使用者の手を挟む可能性があって、外観にも影響を与える。
【００３２】
図９Ａに示すように、本考案において、前記第２収納部１２１において、前記第２作動端１２２に接近する位置に前記背面Ｕ型部１２１２又は前記背面板１２１１を設けられない場合に、前記第１押圧部１１５及び前記第２押圧部１２５を同時に押圧すると、前記引きバネ２が露出となる。
【００３３】
図３Ａに示すように、前記第１結合部１１の前記第１押圧部１１５が位置する平面において、前記第１操作端１１３に接近する適切な箇所に凸平面１１７が設けられる。前記第１結合部１１と前記第２結合部１２を組み付けた後、図３Ｃに示すように、前記第１押圧部１１５及び前記第２押圧部１２５を同時に押圧すると、前記凸平面１１７が前記第２押圧部１２５に当接することで、前記第１結合部１１と前記第２結合部１２が分離することを防止できる。
【００３４】
本実施例の前記凸平面１１７は、他の形によって実現できる。例えば、図１０に示すように、前記第１結合部１１の前記第１押圧部１１５が位置する平面において、前記第１操作端１１３が接近する適切な箇所に少なくとも凸点１１８を有する。前記凸点１１８が前記第２押圧部１２５に当接し、前記凸平面１１７と同じ機能を有する。
【００３５】
図５Ｂに示すように、前記第１収納部１１１は、前記第１作動端１１２に第１作動端開口部１１２１を有する。また、前記第２収納部１２１は、前記第２作動端１２２に第２作動端開口部１２２１を有する。このようにすると、前記第１作動端開口部１１２１及び前記第２作動端開口部１２２１によって、より便利に前記引きバネ２を装着できる。
【００３６】
上記内容は、あくまで本考案の好ましい実施例である。当業者が本考案の精神、請求の範囲、又は本明細書に基づいてなされた変更、改良は、いずれも本考案に含まれる。
【符号の説明】
【００３７】
１  携帯電話ホルダー
１１  第１結合部
１１１  第１収納部
１１２  第１作動端
１１２１  第１作動端開口部
１１３  第１操作端
１１３１  第１操作端開口部
１１３２  ノッチ
１１４  第１挟持部
１１５  第１押圧部
１１５１  第１ファスナー
１１６  安定用凹溝
１１７  凸平面
１１８  凸点
１２  第２結合部
１２１  第２収納部
１２１１  背面板
１２１２  背面Ｕ型部
１２２  第２作動端
１２２１  第２作動端開口部
１２３  第２操作端
１２３１  第２操作端開口部
１２４  第２挟持部
１２４１  第２ファスナー
１２５  第２押圧部
１２６  スライド開口部
１２７  安定用凸部
２  引きバネ
３  挟持空間
４  押圧空間
５  携帯電話
【図１Ａ】
0003228444.tif 000003
【図１Ｂ】
0003228444.tif 000004
【図２Ａ】
0003228444.tif 000005
【図２Ｂ】
0003228444.tif 000006
【図３Ａ】
0003228444.tif 000007
【図３Ｂ】
0003228444.tif 000008
【図３Ｃ】
0003228444.tif 000009
【図３Ｄ】
0003228444.tif 000010
【図４Ａ】
0003228444.tif 000011
【図４Ｂ】
0003228444.tif 000012
【図５Ａ】
0003228444.tif 000013
【図５Ｂ】
0003228444.tif 000014
【図６Ａ】
0003228444.tif 000015
【図６Ｂ】
0003228444.tif 000016
【図６Ｃ】
0003228444.tif 000017
【図６Ｄ】
0003228444.tif 000018
【図７Ａ】
0003228444.tif 000019
【図７Ｂ】
0003228444.tif 000020
【図８Ａ】
0003228444.tif 000021
【図８Ｂ】
0003228444.tif 000022
【図９Ａ】
0003228444.tif 000023
【図９Ｂ】
0003228444.tif 000024
【図１０】
0003228444.tif 000025